(57)【要約】【課題】  略Ｕ字形状の磁極境界部分を介して異なる磁極が隣接する着磁対向面を備えた駆動マグネットを用いた対物レンズ駆動装置において、チルト機能を備えつつ高速化対応が可能な構成を提供すること。【解決手段】  対物レンズ駆動装置１は、略Ｕ字形状の磁極分割線１２ｂによって分極着磁された着磁対向面１２ａを有する駆動マグネット１２と、磁極分割線１２ｂを跨ぐようにして着磁対向面１２ａに対向配置されたフォーカシング駆動コイル９及びトラッキング駆動コイル１０とを備える。また、対物レンズ駆動装置１は、フォーカシング駆動コイル９及びトラッキング駆動コイル１０と着磁対向面１２ａとの対向方向でフォーカシング駆動コイル９及びトラッキング駆動コイル１０と重なるように着磁対向面１２ａに対向配置されたチルト駆動コイル１１を有している。【選択図】      図６
2005251358.tif 000002
【特許請求の範囲】
【請求項１】
対物レンズと、該対物レンズを保持するレンズホルダと、該レンズホルダを移動可能に複数本のワイヤで支持する固定側部材と、前記レンズホルダを少なくともフォーカシング方向及びトラッキング方向に駆動する駆動機構とを有する対物レンズ駆動装置において、
前記駆動機構は、略Ｕ字形状の磁極境界部分を介して異なる磁極が隣接する着磁対向面を備えた駆動マグネットと、前記磁極境界部分を跨ぐように前記着磁対向面に対向配置されたフォーカシング駆動コイル及びトラッキング駆動コイルと、前記レンズホルダをチルト方向に駆動するためのチルト駆動コイルとを備え、
当該チルト駆動コイルは、前記フォーカシング駆動コイル及び前記トラッキング駆動コイルと前記着磁対向面との対向方向で前記フォーカシング駆動コイル及び前記トラッキング駆動コイルの少なくともいずれか一方と重なる位置で前記着磁対向面に対向配置されていることを特徴とする対物レンズ駆動装置。
【請求項２】
請求項１において、前記チルト駆動コイルは略四角形状に巻回され、かつ、前記磁極境界部分を跨ぐようにして前記着磁対向面に対向配置されていることを特徴とする対物レンズ駆動装置。
【請求項３】
請求項１または２において、前記フォーカシング駆動コイル及び前記トラッキング駆動コイルは、斜辺部を有する略台形状に巻回され、
前記フォーカシング駆動コイルと前記トラッキング駆動コイルは、双方の斜辺部同士が隣接するように配置されて略同一平面上に位置していることを特徴とする対物レンズ駆動装置。
【請求項４】
請求項１ないし３のいずれかにおいて、前記フォーカシング駆動コイル、前記トラッキング駆動コイル、及び前記チルト駆動コイルのうちの少なくとも１つは巻き線型のコイルであることを特徴とする対物レンズ駆動装置。
【請求項５】
請求項１ないし４のいずれかに記載の対物レンズ駆動装置を備えることを特徴とする光ヘッド装置。
【発明の詳細な説明】
【技術分野】
【０００１】
本発明は、いわゆるワイヤサスペンションタイプの対物レンズ駆動装置、及びそれを備えた光ヘッド装置に関するものである。
【背景技術】
【０００２】
ＣＤやＤＶＤなどの光記録ディスクの記録、再生等に用いられている光ヘッド装置として、対物レンズと、対物レンズを保持するレンズホルダと、レンズホルダを移動可能に複数本のワイヤで支持する固定側部材と、レンズホルダを少なくともフォーカシング方向及びトラッキング方向に駆動する駆動機構とを有するいわゆるワイヤサスペンションタイプの対物レンズ駆動装置を備える光ヘッド装置が用いられている。
【０００３】
この種の光ヘッド装置に用いられる対物レンズ駆動装置としては、レンズホルダをフォーカシング方向及びトラッキング方向に駆動する駆動機構が、Ｕ字形状の磁極境界部分を介して異なる磁極が配置された着磁対向面を有する一対の駆動マグネットと、磁極境界部分を跨ぐようにして着磁対向面に対向配置されたフォーカシング駆動コイル及びトラッキング駆動コイルとによって構成された２軸駆動の対物レンズ駆動装置が知られている（例えば、特許文献１参照）。この特許文献１に記載された対物レンズ駆動装置では、フォーカシング駆動コイル及びトラッキング駆動コイルがプリントコイル基板上に形成されている。
【特許文献１】特開２００３−４５７２０号公報
【発明の開示】
【発明が解決しようとする課題】
【０００４】
しかしながら、特許文献１に記載された対物レンズ駆動装置は、チルト駆動機構を備えておらず、Ｕ字形状の磁極境界部分によって分極着磁された着磁対向面を有する駆動マグネットを備えた対物レンズ駆動装置においては、具体的なチルト駆動機構は提案されていない。
【０００５】
一方、光ヘッド装置では、その記録・再生速度の高速化の要求が年々高まってきている。この記録・再生速度の高速化の要求に応えるため、対物レンズ駆動装置では、フォーカシング方向、トラッキング方向あるいはチルト方向へ対物レンズを駆動してその位置を制御するサーボ周波数を上げて、より高い周波数で各方向へ対物レンズを位置制御することが必要になる。
【０００６】
ここで、サーボ周波数をより高い値としていった場合、そのサーボ周波数が対物レンズ駆動装置の持つ高次共振周波数に近づくと、装置に共振が生じる。そのため、高次共振周波数の値が低い場合には、フォーカシング方向、トラッキング方向あるいはチルト方向へ対物レンズを高速で制御することが困難となる。従って、高速化に対応するためには、高次共振周波数をより高い値としておく必要がある。
【０００７】
そこで、本発明の課題は、略Ｕ字形状の磁極境界部分を介して異なる磁極が隣接する着磁対向面を備えた駆動マグネットを用いた対物レンズ駆動装置において、チルト機能を備えつつ高速化対応が可能な構成を提供することにある。
【課題を解決するための手段】
【０００８】
上記の課題を解決するために、本発明では、対物レンズと、該対物レンズを保持するレンズホルダと、該レンズホルダを移動可能に複数本のワイヤで支持する固定側部材と、前記レンズホルダを少なくともフォーカシング方向及びトラッキング方向に駆動する駆動機構とを有する対物レンズ駆動装置において、前記駆動機構は、略Ｕ字形状の磁極境界部分を介して異なる磁極が隣接する着磁対向面を備えた駆動マグネットと、前記磁極境界部分を跨ぐように前記着磁対向面に対向配置されたフォーカシング駆動コイル及びトラッキング駆動コイルと、前記レンズホルダをチルト方向に駆動するためのチルト駆動コイルとを備え、当該チルト駆動コイルは、前記フォーカシング駆動コイル及び前記トラッキング駆動コイルと前記着磁対向面との対向方向で前記フォーカシング駆動コイル及び前記トラッキング駆動コイルの少なくともいずれか一方と重なる位置で前記着磁対向面に対向配置されていることを特徴とする。
【０００９】
本発明では、駆動機構がチルト駆動コイルを備え、このチルト駆動コイルが駆動マグネットの着磁対向面に対向していることから、共通の駆動マグネットを用いてチルト駆動が可能となる。特に、チルト駆動コイルは、フォーカシング駆動コイル及びトラッキング駆動コイルと着磁対向面との対向方向で、フォーカシング駆動コイル及びトラッキング駆動コイルの少なくともいずれか一方と重なる位置で着磁対向面に対向配置されていることから、フォーカシング方向及びトラッキング方向において各駆動コイルを集中配置することが可能となる。そのため、対物レンズ駆動装置をコンパクトにすることができ、装置の剛性を上げることができる。装置の剛性を上げることで、装置の高次共振周波数を高い値とすることができる。
【００１０】
本発明において、前記チルト駆動コイルは略四角形状に巻回され、かつ、前記磁極境界部分を跨ぐようにして前記着磁対向面に対向配置されていることが好ましい。この場合には、四角形状コイルの２辺をチルト駆動に用いることが可能となる。従って、チルト駆動時における対物レンズの感度を上げることができる。
【００１１】
本発明において、前記フォーカシング駆動コイル及び前記トラッキング駆動コイルは斜辺部を有する略台形状に巻回され、前記フォーカシング駆動コイルと前記トラッキング駆動コイルは、双方の斜辺部同士が隣接するように配置されて略同一平面上に位置していることが好ましい。
【００１２】
フォーカシング駆動コイルとトラッキング駆動コイルとが略同一平面上に配置されている場合、フォーカシング駆動コイル及びトラッキング駆動コイルと着磁対向面との対向方向で、これらの駆動コイルとチルト駆動コイルとの集中配置が可能となる。但し、フォーカシング駆動コイルとトラッキング駆動コイルとが略同一平面上に配置されている場合には、例えば、フォーカシング駆動コイル及びトラッキング駆動コイルが矩形状に巻回されていると、各々の駆動コイルの角部が干渉し、フォーカシング駆動コイルとトラッキング駆動コイルとを集中配置することが困難となる。しかるに本発明では、フォーカシング駆動コイル及びトラッキング駆動コイルが斜辺部を有する略台形状に巻回されているので、互いの斜辺部同士を隣接させて配置されることができ、それ故、チルト駆動コイルを含めた駆動コイルをさらに集中して配置することが可能となる。
【００１３】
本発明において、前記フォーカシング駆動コイル、前記トラッキング駆動コイル、及び前記チルト駆動コイルのうちの少なくとも１つは巻き線型のコイルであることが好ましい。こうすることで、駆動コイルをプリント基板上に形成するプリントコイル基板の場合に比べて、コイルの占積率を上げることができる。そのため、より高い駆動力を得ることができる。
【００１４】
本発明における対物レンズ駆動装置は、光ヘッド装置に用いることができる。
【発明の効果】
【００１５】
本発明では、チルト駆動コイルは、フォーカシング駆動コイル及びトラッキング駆動コイルと着磁対向面との対向方向で、フォーカシング駆動コイル及びトラッキング駆動コイルの少なくともいずれか一方と重なるように、着磁対向面に対向配置されていることため、各駆動コイルを集中配置することが可能となる。そのため、対物レンズ駆動装置をコンパクトにすることができ、装置の剛性を上げることができる。その結果、装置の高次共振周波数を高い値とすることができるため、チルト機能を備えつつ高速化対応が可能となる。
【発明を実施するための最良の形態】
【００１６】
以下、本発明を実施するための最良の形態を図面に基づいて説明する。
【００１７】
図１は、本発明の実施の形態にかかる対物レンズ駆動装置を示す平面図である。図２は、図１に示す対物レンズ駆動装置の側面図である。図３は、図１に示す対物レンズ駆動装置の底面図である。図４は、対物レンズと各駆動コイルが取り付けられた状態のレンズホルダを示し、（Ａ）はレンズホルダの平面図、（Ｂ）、（Ｃ）は、レンズホルダを基端側側面からみたときの説明図及び先端側側面からみたときの説明図である。
【００１８】
（対物レンズ駆動装置の概略構成）
図１〜図４において、本形態にかかる対物レンズ駆動装置１は、所定の光学系を備えてＣＤあるいはＤＶＤなどの光記録ディスクに対する情報記録、情報再生を行う光ヘッド装置に用いられるものである。光ヘッド装置の装置フレームなどの構成については周知のものを用いることができるため、その詳細な説明は省略するが、対物レンズ駆動装置１は、対物レンズ２と、対物レンズ２を保持するレンズホルダ３と、レンズホルダ３をフォーカシング方向（矢印Ｆｏで示す方向）、トラッキング方向（矢印Ｔｒで示す方向）、及びチルト方向（矢印Ｔｉで示す方向）に移動可能に６本のワイヤ４で支持する固定側部材７と、レンズホルダ３をフォーカシング方向Ｆｏ、トラッキング方向Ｔｒ、及びチルト方向Ｔｉに駆動する駆動機構とを備えている。
【００１９】
固定側部材７は、レンズホルダ３を先端側で支持する６本のワイヤ４と、ワイヤ４をその基端側において支持するホルダ支持部材５と、本体フレームを構成するとともに駆動機構の一部を構成するヨーク６とから構成されている。
【００２０】
６本のワイヤ４はそれぞれ、後述するフォーカシング駆動コイル９、トラッキング駆動コイル１０、及びチルト駆動コイル１１への給電ワイヤとしても用いられている。従って、ワイヤ４の先端側は、レンズホルダ３に固着されている一対の中継基板１５の各々に半田付けされて固定されている。一方、ワイヤ４の基端側には、ホルダ支持部材５の背面の取り付けられたプリント基板１４の配線パターンに半田付けされている。
【００２１】
ヨーク６は、底面部６ａと、駆動機構を構成する後述の一対の駆動マグネット１２を保持する保持部６ｂ、６ｃとを備えている。底面部６ａは、略長方形状の磁性鋼板から形成されており、その底面部６ａの相対向する短辺側で保持部６ｂ、６ｃが切り起こされている。底面部６ａの中心部分には矩形状の開口部が設けられており、開口端部には下面側に突出する２つの突起部６ｄ、６ｄが形成されている。突起部６ｄ、６ｄには、光ヘッド装置の光学系を構成する１／４波長板１７が取り付けられている。また、ホルダ支持部材５は、ヨーク６の底面部６ａにおける短辺側に対して接着などの固定手段によって固定されている。
【００２２】
レンズホルダ３は、トラッキング方向Ｔｒに直交する２つの側面と、トラッキング方向Ｔｒに平行な２つの側面とを備え、平面視で長方形状に形成されており、その中央部分に対物レンズ２を保持している。レンズホルダ３において、トラッキング方向Ｔｒに直交する２つの側面には、上述の中継基板１５、１５が固着されている。尚、以下では、レンズホルダ３のトラッキング方向Ｔｒに平行な２つの側面のうち、ホルダ支持部材５側の側面を基端側側面３ａとし、もう一方の側面を先端側側面３ｂとする。
【００２３】
レンズホルダ３の基端側側面３ａには、駆動機構を構成する後述のチルト駆動コイル１１が配設される凹部３ａ１が凹設されている。より具体的には、凹部３ａ１は、図４（Ｃ）における基端側側面３ａの下半部で、基端側側面３ａの略半分の面積部分に、矩形状に凹設されている。レンズホルダ３の先端側側面３ｂにも同様に凹部３ｂ１が凹設されている（図４（Ｂ）参照）。
【００２４】
また、レンズホルダ３の上面には、レンズホルダ３のフォーカシング方向Ｆｏの可動範囲を規制する規制面３ｃが形成されている。本形態では、先端側側面３ｂ側のトラッキング方向Ｔｒの両端部に２箇所、規制面３ｃ、３ｃが形成されている。この規制面３ｃ、３ｃは、例えば、図示を省略する対物レンズ駆動装置１のカバーの一部と当接することで、レンズホルダ３のフォーカシング方向Ｆｏの可動範囲が規制されるようになっている。
【００２５】
（駆動機構の構成）
図５（Ａ）、（Ｂ）はそれぞれ、駆動マグネットを示す平面図及び側面図である。
【００２６】
図１、図２及び図４において、駆動機構は、レンズホルダ３の基端側側面３ａ及び先端側側面３ｂのそれぞれに配設されたフォーカシング駆動コイル９と、一対のトラッキング駆動コイル１０と、一対のチルト駆動コイル１１と、ヨーク６の保持部６ｂ、６ｃと、これらの保持部６ｂ、６ｃに保持されて各駆動コイルと対向する一対の駆動マグネット１２とから構成されている。
【００２７】
フォーカシング駆動コイル９は、図４に示すように、扁平な巻き線型コイルであり、銅線あるいはアルミクラッド線が斜辺部を備えた台形状に巻回されて形成されている。より具体的には、フォーカシング駆動コイル９は、２つの斜辺部９ａ、９ａと、短辺側となる上辺部９ｂと、長辺側となる下辺部９ｃとを備えた略左右対称な略台形状に巻回されている。特に、本形態では、下辺部９ｃが、高さ方向（図４（Ｃ）における上下方向）の寸法よりも長くなった横長の台形状に形成されている。
【００２８】
トラッキング駆動コイル１０も同様に、扁平な巻き線型コイルであり、銅線あるいはアルミクラッド線が斜辺部を備えた台形状に巻回されて形成されている。より具体的には、トラッキング駆動コイル１０は、２つの斜辺部１０ａ、１０ａと、短辺側となる上辺部１０ｂと、長辺側となる下辺部１０ｃとを備えた略左右対称な台形状に巻回されている。
【００２９】
チルト駆動コイル１１は、扁平な巻き線型コイルであり、銅線あるいはアルミクラッド線が略四角形状に巻回されて形成されている。本形態では、長さの等しい上辺部１１ａと下辺部１１ｂとを備えた矩形状に巻回されている。
【００３０】
このようにして駆動コイル９、１０、１１が構成されているが、駆動コイル９、１０、１１にアルミクラッド線を使用した場合には、各駆動コイルの重量を軽減することができる。
【００３１】
一対のチルト駆動コイル１１は、レンズホルダ３の基端側側面３ａの凹部３ａ１及び先端側側面３ｂの凹部３ｂ１のそれぞれに、所定の隙間を介して図示左右方向でほぼ対称となるように並べられた状態で接着等により固定されて配設されている。より具体的には、一対のチルト駆動コイル１１は、上辺部１１ａと下辺部１１ｂが図示左右方向に平行に延びるように配設されている。ここで、一対のチルト駆動コイル１１は、それぞれの巻回方向が異なるように巻回され、かつ、電気的に直列接続されている。また、凹部３ａ１及び凹部３ｂ１は、チルト駆動コイル１１の厚さよりもわずかに深く凹設されており、凹部３ａ１及び凹部３ｂ１にチルト駆動コイル１１を配設した状態では、チルト駆動コイル１１が基端側側面３ａ及び先端側側面３ｂからは突出しないようになっている。
【００３２】
フォーカシング駆動コイル９は、凹部３ａ１及び凹部３ｂ１を覆うように基端側側面３ａ及び先端側側面３ｂに接着等により固定されて配設されている。言い換えると、フォーカシング駆動コイル９は、基端側側面３ａ及び先端側側面３ｂにおいて、駆動マグネット１２との対向方向で一対のチルト駆動コイル１１の双方に重なるように配設されている（図１及び図４参照）。より具体的には、フォーカシング駆動コイル９は、上辺部９ｂ及び下辺部９ｃが図示左右方向に平行に延びるように配設されている。
【００３３】
一対のトラッキング駆動コイル１０は、フォーカシング駆動コイル９の斜め上方で、基端側側面３ａ及び先端側側面３ｂに接着等により固定されて配設されている。より具体的には、一対のトラッキング駆動コイル１０は、基端側側面３ａ及び先端側側面３ｂにおいて、一対のトラッキング駆動コイル１０の斜辺部１０ａとフォーカシング駆動コイル９の２つの斜辺部９ａ、９ａとが互いに隣接するようにほぼ左右対称に配設されている。ここで、トラッキング駆動コイル１０の一部は、凹部３ａ１及び凹部３ｂ１の一部を覆っており、駆動マグネット１２との対向方向でチルト駆動コイル１１の一部と重なるようになっている。
【００３４】
図４及び図５に示すように、一対の駆動マグネット１２は、直方体状に形成されており、基端側側面３ａ及び先端側側面３ｂと対向するようにレンズホルダ３を挟み込んで、ヨーク６の保持部６ｂ、６ｃに保持されている。駆動マグネット１２におけるレンズホルダ３の基端側側面３ａまたは先端側側面３ｂとの対向面、すなわち、フォーカシング駆動コイル９、トラッキング駆動コイル１０及びチルト駆動コイル１１との対向面は、縦線部１２ｂ１、１２ｂ１と横線部１２ｂ２とからなる略Ｕ字形状の磁極分割線１２ｂ（磁極境界部分）によって分極着磁された着磁対向面１２ａとなっている（図４（Ｂ）参照）。具体的には、着磁対向面１２ａでは、磁極分割線１２ｂの外側のＵ形状部分がＳ極に着磁され、磁極分割線１２ｂの内側の矩形状部分がＮ極に着磁されている。尚、図４（Ａ）に示されるように、駆動マグネット１２は、その厚み方向にも分極着磁されている。本形態において、磁極分割線１２ｂは、縦線部１２ｂ１、１２ｂ１と横線部１２ｂ２とを備えた略Ｕ字形状の部分を備えておれば、完全なＵ字形状である必要はない。
【００３５】
（駆動コイルと駆動マグネットの配置関係）
図６は、フォーカシング駆動コイル、トラッキング駆動コイル及びチルト駆動コイルと駆動マグネットとの配置関係を説明する説明図である。尚、一対のトラッキング駆動コイル１０及びチルト駆動コイル１１はそれぞれほぼ左右対称に配置されていることから、図６では、片側のみを図示して説明することとする。
【００３６】
図６に示すように、フォーカシング駆動コイル９は、磁極分割線１２ｂを跨ぐようにして、駆動マグネット１２の着磁対向面１２ａに対向して配置されている。本形態において、フォーカシング駆動コイル９は、磁極分割線１２ｂの横線部１２ｂ２を跨ぐように配置されている。より具体的には、フォーカシング駆動コイル９は、その図示上下方向の中心線と磁極分割線１２ｂの横線部１２ｂ２とがほぼ一致するように配置され、上辺部９ｂと下辺部９ｃとが異なる磁極と対向するように配置されている。従って、フォーカシング駆動時に、上辺部９ｂと下辺部９ｃとの２辺を有効辺として使用できるようになっている。
【００３７】
一対のトラッキング駆動コイル１０も、磁極分割線１２ｂを跨ぐようにして、駆動マグネット１２の着磁対向面１２ａに対向して配置されている。本形態において、一対のトラッキング駆動コイル１０は、磁極分割線１２ｂの縦辺部１２ｂ１を跨ぐように配置されている。より具体的には、トラッキング駆動コイル１０は、その図示左右方向の中心線と磁極分割線１２ｂの縦辺部１２ｂ１とがほぼ一致するように配置されている。すなわち、トラッキング駆動コイル１０は、上辺部１０ｂと下辺部１０ｃとが異なる磁極と対向するように配置され、トラッキング駆動時に、上辺部１０ｂと下辺部１０ｃとの２辺を有効辺として使用できるようになっている。
【００３８】
一対のチルト駆動コイル１１も、磁極分割線１２ｂを跨ぐようにして、駆動マグネット１２の着磁対向面１２ａに対向して配置されている。本形態において、一対のチルト駆動コイル１１は、磁極分割線１２ｂの横辺部１２ｂ２を跨ぐように配置されている。より具体的には、チルト駆動コイル１１は、その図示上下方向の中心線と磁極分割線１２ｂの横線部１２ｂ２がほぼ一致するように配置されている。すなわち、上辺部１１ａと下辺部１１ｂとが異なる磁極と対向するように配置され、チルト駆動時に、上辺部１１ａと下辺部１１ｂとの２辺を有効辺として使用できるようになっている。
【００３９】
（本形態の効果）
以上説明したように、本形態の対物レンズ駆動装置１では、フォーカシング駆動コイル９と一対のトラッキング駆動コイル１０と一対のチルト駆動コイル１１とが、駆動マグネット１２の着磁対向面１２ａに対向して配置されている。そのため、共通の駆動マグネット１２を用いて、レンズホルダ３のフォーカシング駆動、トラッキング駆動及びチルト駆動が可能となる。特に、本形態では、チルト駆動コイル１１は、フォーカシング駆動コイル９及びトラッキング駆動コイル１０と着磁対向面１２ａとの対向方向で、フォーカシング駆動コイル９及びトラッキング駆動コイル１０と重なるように、着磁対向面１２ａに対向配置されている。そのため、フォーカシング方向Ｆｏ及びトラッキング方向Ｔｒにおいて、各駆動コイルのレンズホルダ３への集中配置が可能となる。従って、レンズホルダ３をコンパクトにして、レンズホルダ３の剛性を上げることができる。その結果、対物レンズ駆動装置１の高次共振周波数を高い値とすることができる。
【００４０】
また、凹部３ａ１及び凹部３ｂ１は、チルト駆動コイル１１の厚さよりもわずかに深く凹設されているため、チルト駆動コイル１１は、駆動マグネット１２からみて、フォーカシング駆動コイル９及びトラッキング駆動コイル１０のすぐ奥側に配置されることになる。従って、駆動マグネット１２を用いて、効率よくチルト駆動することができる。
【００４１】
本形態では、チルト駆動コイル１１が矩形状に巻回され、かつ、磁極分割線１２ｂを跨ぐようにして着磁対向面１２ａに対向配置されている。そのため、上辺部１１ａと下辺部１１ｂとの２辺をチルト駆動に用いることできる。従って、チルト駆動時における対物レンズ２の感度を上げることができる。また、同様に、台形状に巻回されたフォーカシング駆動コイル９及びトラッキング駆動コイル１０も、磁極分割線１２ｂを跨ぐようにして着磁対向面１２ａに対向配置されている。そのため、上辺部９ｂと下辺部９ｃあるいは、上辺部１０ｂと下辺部１０ｃの２辺をフォーカシング駆動あるいトラッキング駆動に用いることができ、フォーカシング駆動時、あるいはトラッキング駆動時における対物レンズ２の感度を上げることができる。
【００４２】
本形態では、フォーカシング駆動コイル９及びトラッキング駆動コイル１０が斜辺部９ａあるいは斜辺部１０ａを有する台形状に巻回されている。また、フォーカシング駆動コイル９とトラッキング駆動コイル１０とは、斜辺部９ａと斜辺部１０ａとが互いに隣接するように基端側側面３ａ及び先端側側面３ｂに配置されている。フォーカシング駆動コイル９とトラッキング駆動コイル１０とを同一面である基端側側面３ａ及び先端側側面３ｂに配置しているため、着磁対向面１２ａとの対向方向で、フォーカシング駆動コイル９、トラッキング駆動コイル１０及びチルト駆動コイル１１を集中配置することができる。また、斜辺部９ａと斜辺部１０ａとが互いに隣接するように配置されているため、トラッキング方向Ｔｒで、フォーカシング駆動コイル９とトラッキング駆動コイル１０とを集中配置することができる。その結果、レンズホルダ３の剛性を上げることができる。
【００４３】
本形態では、フォーカシング駆動コイル９、トラッキング駆動コイル１０、及びチルト駆動コイル１１は、巻き線型のコイルである。そのため、これらの駆動コイルをプリント基板上に形成するプリントコイル基板の場合に比べて、コイルの占積率を上げることができ、より高い駆動力を得ることができる。
【００４４】
（他の実施の形態）
上述した形態は、本発明の好適な形態の一例ではあるが、これに限定されるものではなく本発明の要旨を変更しない範囲において種々変形可能である。例えば、上述した形態においては、フォーカシング駆動コイル９、トラッキング駆動コイル１０、及びチルト駆動コイル１１は巻き線型のコイルであったが、上述した形状を有するこれらの各駆動コイルをプリント基板上に形成してもよい。
【００４５】
また、フォーカシング駆動コイル９、トラッキング駆動コイル１０、及びチルト駆動コイル１１の各駆動コイルを、特に角型コイルを巻回した巻き線型のコイルとすることもできる。この場合には、巻き線効率を上げることができ、フォーカシング駆動時等における対物レンズ２の感度を更に高めることができる。
【００４６】
さらに、上述した形態では、レンズホルダ３の基端側側面３ａ及び先端側側面３ｂのそれぞれに、フォーカシング駆動コイル９、一対のトラッキング駆動コイル１０及び一対のチルト駆動コイル１１を配設し、また、これらの駆動コイルに対向する一対の駆動マグネット１２を用いたが、必ずしも、基端側側面３ａ及び先端側側面３ｂの両面に各駆動コイルを配設する必要はない。すなわち、基端側側面３ａ及び先端側側面３ｂのいずれか一方に各駆動コイルを配設するとともに、これらの駆動コイルに対向するように駆動マグネット１２を配置してもよい。
【００４７】
また、上述した形態では、チルト駆動コイル１１が、着磁対向面１２ａとの対向方向で、フォーカシング駆動コイル９及びトラッキング駆動コイル１０の双方と重なるように配置されていたが、フォーカシング駆動コイル９及びトラッキング駆動コイル１０の少なくともいずれか一方と重なるように配置すれば、フォーカシング方向Ｆｏまたはトラッキング方向Ｔｒでレンズホルダ３をコンパクトにすることができる。
【図面の簡単な説明】
【００４８】
【図１】本発明の実施の形態にかかる対物レンズ駆動装置を示す平面図である。
【図２】図１に示す対物レンズ駆動装置の側面図である。
【図３】図１に示す対物レンズ駆動装置の底面図である。
【図４】図１に示す対物レンズ駆動装置において対物レンズと各駆動コイルが取り付けられた状態のレンズホルダの説明図であり、（Ａ）はレンズホルダの平面図、（Ｂ）、（Ｃ）は、レンズホルダを基端側側面からみたときの説明図及び先端側側面からみたときの説明図である。
【図５】（Ａ）、（Ｂ）はそれぞれ、図１に示す対物レンズ駆動装置に用いた駆動マグネットを示す平面図及び側面図である。
【図６】図１に示す対物レンズ駆動装置におけるフォーカシング駆動コイル、トラッキング駆動コイル及びチルト駆動コイルと駆動マグネットとの配置関係を説明する説明図である。
【符号の説明】
【００４９】
１  対物レンズ駆動装置
２  対物レンズ
３  レンズホルダ
４  ワイヤ
７  固定側部材
９  フォーカシング駆動コイル
９ａ  斜辺部
１０  トラッキング駆動コイル
１０ａ  斜辺部
１１  チルト駆動コイル
１２  駆動マグネット
１２ａ  着磁対向面
１２ｂ  磁極分割線（磁極境界部分）
【図１】
2005251358.tif 000003
【図２】
2005251358.tif 000004
【図３】
2005251358.tif 000005
【図４】
2005251358.tif 000006
【図５】
2005251358.tif 000007
【図６】
2005251358.tif 000008